(57)【要約】【課題】断面像の確認を適切に行うことができる医用画像診断装置及び画像表示装置を提供することである。【解決手段】実施形態に係る医用画像診断装置は、第１断面像生成部と、第２断面像生成部と、表示制御部とを備える。前記第１断面像生成部は、心臓が撮像された３次元医用画像データから第１断面像の候補を複数生成する。前記第２断面像生成部は、前記３次元医用画像データから前記第１断面像の各候補と交わる断面像である第２断面像を生成する。前記表示制御部は、前記第１断面像の各候補、及び、該第１断面像の各候補と前記第２断面像との位置関係を示す情報を重畳表示した該第２断面像を並べて表示部に表示する。【選択図】図１
2014000393.tif 000002
【特許請求の範囲】
【請求項１】
心臓が撮像された３次元医用画像データから第１断面像の候補を複数生成する第１断面像生成部と、
前記３次元医用画像データから前記第１断面像の各候補と交わる断面像である第２断面像を生成する第２断面像生成部と、
前記第１断面像の各候補、及び、該第１断面像の各候補と前記第２断面像との位置関係を示す情報を重畳表示した該第２断面像を並べて表示部に表示する表示制御部と
を備える、医用画像診断装置。
【請求項２】
前記表示制御部は、前記第１断面像の各候補を第１の方向に並べて表示するとともに、前記第２断面像を、前記第１の方向と交わる第２の方向に並べて表示する、請求項１に記載の医用画像診断装置。
【請求項３】
前記第２の方向は、前記第１の方向に対して垂直をなす方向である、請求項２に記載の医用画像診断装置。
【請求項４】
前記第１断面像生成部は、前記心臓の長軸を含む断面像である第１断面像の第１候補と、該長軸を軸に前記第１候補を所定角度回転させた断面像である第１断面像の第２候補とを生成する、請求項１に記載の医用画像診断装置。
【請求項５】
前記第２断面像生成部は、前記心臓の長軸と直交する第２断面像であって、僧帽弁及び心尖部の位置の第２断面像のうち、少なくとも一方を生成する、請求項１に記載の医用画像診断装置。
【請求項６】
前記表示制御部は、前記第２断面像上に、前記第１断面像の各候補と該第２断面像との交差線情報、及び、前記第１断面像の各候補に含まれる長軸と該第２断面像との交差点情報のうち、少なくとも一方を重畳表示する、請求項１に記載の医用画像診断装置。
【請求項７】
前記第１断面像生成部は、操作者の入力に従い前記第１断面像の新たな候補を生成し、
前記表示制御部は、前記新たな候補が生成された場合には、前記第１断面像の各候補とともに、若しくは前記第１断面像の各候補に替えて、該新たな候補を表示するとともに、前記第２断面像上に、該新たな候補と該第２断面像との位置関係を示す情報を重畳表示する、請求項１に記載の医用画像診断装置。
【請求項８】
前記第１断面像生成部は、前記操作者の入力として、各候補の中間の角度で回転させた断面像、又は、各候補を更に所定角度回転させた断面像の生成指示を受け付け、受け付けた生成指示に従い、前記第１断面像の新たな候補を生成する、請求項７に記載の医用画像診断装置。
【請求項９】
前記第１断面像生成部は、前記操作者の入力として、前記第２断面像上に重畳表示された交差線情報及び交差点情報のうち、少なくとも一方に対する変更指示を受け付け、受け付けた変更指示に従い、前記第１断面像の新たな候補を生成する、請求項７に記載の医用画像診断装置。
【請求項１０】
前記第１断面像生成部は、前記操作者の入力として、前記第１断面像の候補の数、及び前記長軸を軸に回転させる角度のうち、少なくとも一つを受け付け、受け付けた内容に従い、前記第１断面像の新たな候補を生成する、請求項７に記載の医用画像診断装置。
【請求項１１】
前記第２断面像生成部は、操作者の入力として、前記第２断面像の数、及び前記第２断面像の位置のうち、少なくとも一つを受け付け、受け付けた内容に従い、前記第２断面像を生成する、請求項７に記載の医用画像診断装置。
【請求項１２】
前記表示制御部は、前記第１断面像の各候補の確からしさの度合いに応じて、各候補の表示態様を変更する、請求項１に記載の医用画像診断装置。
【請求項１３】
前記表示制御部は、前記度合いに応じて、各断面像の大きさ、各断面像の枠の線種、及び背景色のうち、少なくとも一つを変更する、請求項１２に記載の医用画像診断装置。
【請求項１４】
前記第１断面像生成部は、前記第１断面像の各候補の確からしさの度合いに応じて、前記第１断面像の候補の数、及び前記長軸を軸に回転させる角度のうち、少なくとも一つを調整する、請求項１２に記載の医用画像診断装置。
【請求項１５】
前記第１断面像生成部及び前記第２断面像生成部は、本撮像のための位置決め用に収集された前記３次元医用画像データから、位置決め用の画像として複数種類の第１断面像を生成し、複数種類の第１断面像の中から、第１断面像の第１候補と、前記第１候補に対応する第２断面像とを特定する、請求項１に記載の医用画像診断装置。
【請求項１６】
前記第１断面像生成部及び前記第２断面像生成部は、前記複数種類の第１断面像の中から、心臓の長軸を含む第１断面像を前記第１候補として特定し、心臓の短軸を含む第１断面像を前記第２断面像として特定する、請求項１５に記載の医用画像診断装置。
【請求項１７】
所定の部位が撮像された３次元医用画像データから第１断面像の候補を複数生成する第１断面像生成部と、
前記３次元医用画像データから前記第１断面像の各候補と交わる断面像である第２断面像を生成する第２断面像生成部と、
前記第１断面像の各候補、及び、該第１断面像の各候補と前記第２断面像との位置関係を示す情報を重畳表示した該第２断面像を並べて表示部に表示する表示制御部と
を備える、医用画像診断装置。
【請求項１８】
表示部と、
心臓の長軸を含む第１断面像の各候補を、第１の方向に並べて前記表示部に表示するとともに、前記第１断面像の各候補と交わる断面像であって各候補との位置関係を示す情報を重畳表示する第２断面像を、前記第１の方向と交わる第２の方向に並べて前記表示部に表示する表示制御部と
を備えたことを特徴とする画像表示装置。
【発明の詳細な説明】
【技術分野】
【０００１】
本発明の実施形態は、医用画像診断装置及び画像表示装置に関する。
【背景技術】
【０００２】
従来、ＭＲＩ（Magnetic  Resonance  Imaging）装置やＸ線ＣＴ（Computed  Tomography）装置、超音波診断装置等の医用画像診断装置は、対象部位の３次元医用画像データ（以下「ボリュームデータ」）を収集し、収集したボリュームデータから、所望の断面像を生成する。「基本断面像」等と称される断面像は、医用画像診断装置や画像表示装置によって表示されることで、所望の部位の診断等に役立てられる。一方、「基本断面像」と交わる断面像は「補助断面像」等と称され、「基本断面像」が正しく設定されたか否かの確認等に役立てられる。
【０００３】
例えば、ＭＲＩ装置は、心臓が撮像されたボリュームデータから、基本断面像及び補助断面像を生成し、基本断面像及び補助断面像を並べて表示部に表示する。この場合、操作者は、表示部に表示された各断面像を閲覧しながら、基本断面像の修正や確認を繰り返し行う。
【先行技術文献】
【特許文献】
【０００４】
【特許文献１】国際公開第２０１１／０２１２５４号
【特許文献２】特許第４０１８３０３号公報
【特許文献３】特開２００２−１４０６８９号公報
【発明の概要】
【発明が解決しようとする課題】
【０００５】
本発明が解決しようとする課題は、断面像の確認を適切に行うことができる医用画像診断装置及び画像表示装置を提供することである。
【課題を解決するための手段】
【０００６】
実施形態に係る医用画像診断装置は、第１断面像生成部と、第２断面像生成部と、表示制御部とを備える。前記第１断面像生成部は、心臓が撮像された３次元医用画像データから第１断面像の候補を複数生成する。前記第２断面像生成部は、前記３次元医用画像データから前記第１断面像の各候補と交わる断面像である第２断面像を生成する。前記表示制御部は、前記第１断面像の各候補、及び、該第１断面像の各候補と前記第２断面像との位置関係を示す情報を重畳表示した該第２断面像を並べて表示部に表示する。
【図面の簡単な説明】
【０００７】
【図１】図１は、本実施形態に係るＭＲＩ装置を示すブロック図。
【図２】図２は、本実施形態における基本断面像の各候補を説明するための図。
【図３】図３は、本実施形態における補助断面像を説明するための図。
【図４】図４は、本実施形態に係る処理手順を示すフローチャート。
【図５】図５は、本実施形態における表示例を示す図。
【図６】図６は、本実施形態における新候補の表示例を示す図。
【図７】図７は、本実施形態における新候補の表示例を示す図。
【図８】図８は、他の実施形態における表示例を示す図。
【図９】図９は、他の実施形態における表示例を示す図。
【図１０】図１０は、他の実施形態における表示例を示す図。
【図１１】図１１は、他の実施形態における表示例を示す図。
【図１２】図１２は、他の実施形態に係る画像表示装置を示すブロック図。
【図１３】図１３は、他の実施形態における処理手順を示すフローチャート。
【図１４】図１４は、他の実施形態における位置決め画像の表示例を示す図。
【発明を実施するための形態】
【０００８】
以下、実施形態に係る医用画像診断装置及び画像表示装置を説明する。なお、本実施形態においては、医用画像診断装置としてＭＲＩ装置を想定する。
【０００９】
図１は、本実施形態に係るＭＲＩ装置１００を示すブロック図である。被検体Ｐ（図１において点線の枠内）は、ＭＲＩ装置１００に含まれない。静磁場磁石１は、中空の円筒状に形成され、内部の空間に一様な静磁場を発生する。静磁場磁石１は、例えば、永久磁石、超伝導磁石等である。傾斜磁場コイル２は、中空の円筒状に形成され、内部の空間に傾斜磁場を発生する。具体的には、傾斜磁場コイル２は、静磁場磁石１の内側に配置され、傾斜磁場電源３から傾斜磁場パルスの供給を受けて、傾斜磁場を発生する。傾斜磁場電源３は、シーケンス制御部１０から送信される制御信号に従って、傾斜磁場パルスを傾斜磁場コイル２に供給する。
【００１０】
寝台４は、被検体Ｐが載置される天板４ａを備え、天板４ａを、被検体Ｐが載置された状態で、撮像口である傾斜磁場コイル２の空洞内へ挿入する。通常、寝台４は、長手方向が静磁場磁石１の中心軸と平行になるように設置される。寝台制御部５は、寝台４を駆動して、天板４ａを長手方向及び上下方向へ移動する。
【００１１】
送信コイル６は、磁場を発生する。具体的には、送信コイル６は、傾斜磁場コイル２の内側に配置され、送信部７からＲＦ（Radio  Frequency）パルスの供給を受けて、磁場を発生する。送信部７は、シーケンス制御部１０から送信される制御信号に従って、ラーモア周波数に対応するＲＦパルスを送信コイル６に供給する。
【００１２】
受信コイル８は、磁気共鳴信号（以下、ＭＲ（Magnetic  Resonance）信号）を受信する。具体的には、受信コイル８は、傾斜磁場コイル２の内側に配置され、磁場の影響によって被検体Ｐから放射されるＭＲ信号を受信する。また、受信コイル８は、受信したＭＲ信号を受信部９に出力する。
【００１３】
受信部９は、シーケンス制御部１０から送られる制御信号に従って、受信コイル８から出力されたＭＲ信号に基づきＭＲ信号データを生成する。具体的には、受信部９は、受信コイル８から出力されたＭＲ信号をデジタル変換することによってＭＲ信号データを生成し、生成したＭＲ信号データを、シーケンス制御部１０を介して計算機システム２０に送信する。なお、受信部９は、静磁場磁石１や傾斜磁場コイル２等を備える架台装置側に備えられていてもよい。
【００１４】
シーケンス制御部１０は、傾斜磁場電源３、送信部７、及び受信部９を制御する。具体的には、シーケンス制御部１０は、計算機システム２０から送信されたパルスシーケンス実行データに基づく制御信号を、傾斜磁場電源３、送信部７、及び受信部９に送信する。例えば、シーケンス制御部１０は、ＡＳＩＣ（Application  Specific  Integrated  Circuit）、ＦＰＧＡ（Field  Programmable  Gate  Array）等の集積回路、ＣＰＵ（Central  Processing  Unit）、ＭＰＵ（Micro  Processing  Unit）等の電子回路である。
【００１５】
計算機システム２０は、インタフェース部２１と、画像再構成部２２と、記憶部２３と、入力部２４と、表示部２５と、制御部２６とを備える。インタフェース部２１は、シーケンス制御部１０に接続され、シーケンス制御部１０と計算機システム２０との間で送受信されるデータの入出力を制御する。画像再構成部２２は、シーケンス制御部１０から送信されたＭＲ信号データから画像データを再構成し、再構成した画像データを記憶部２３に格納する。
【００１６】
記憶部２３は、画像再構成部２２によって格納された画像データや、ＭＲＩ装置１００において用いられるその他のデータを記憶する。例えば、記憶部２３は、ＲＡＭ（Random  Access  Memory）、フラッシュメモリ（flash  memory）等の半導体メモリ素子、ハードディスク、光ディスク等である。
【００１７】
入力部２４は、各種指示を操作者から受け付ける。例えば、入力部２４は、マウス、キーボード、トラックボール、タッチパッド等のユーザインタフェースである。表示部２５は、画像データ等を表示する。例えば、表示部２５は、液晶ディスプレイ等である。
【００１８】
制御部２６は、上述した各部を制御することによってＭＲＩ装置１００を総括的に制御する。例えば、制御部２６は、ＡＳＩＣ、ＦＰＧＡ等の集積回路、ＣＰＵ、ＭＰＵ等の電子回路である。
【００１９】
ここで、本実施形態に係る制御部２６は、図１に示すように、収集部２６ａと、基本断面像生成部２６ｂと、補助断面像生成部２６ｃと、表示制御部２６ｄとを備える。また、制御部２６は、被検体Ｐの心臓のボリュームデータを収集し、収集したボリュームデータから基本断面像の候補や補助断面像を生成し、生成した各断面像を表示部２５に表示する。
【００２０】
まず、収集部２６ａは、被検体Ｐの心臓を内包する範囲のボリュームデータを収集し、収集したボリュームデータを、基本断面像生成部２６ｂ及び補助断面像生成部２６ｃそれぞれに出力する。例えば、収集部２６ａは、傾斜磁場電源３、送信部７、及び受信部９を制御するためのパルスシーケンス実行データを生成し、生成したパルスシーケンス実行データをシーケンス制御部１０に送信する。
【００２１】
また、基本断面像生成部２６ｂは、収集部２６ａによって収集されたボリュームデータから、基本断面像の候補を複数生成し、生成した基本断面像の候補を表示制御部２６ｄに出力する。例えば、基本断面像生成部２６ｂは、収集部２６ａによって収集されたボリュームデータから、基本断面像の各候補の位置を算出し、算出した各候補の位置に従い、ボリュームデータから各候補を生成する。
【００２２】
また、補助断面像生成部２６ｃは、収集部２６ａによって収集されたボリュームデータから、基本断面像の各候補と交わる断面像である補助断面像を生成し、生成した補助断面像を表示制御部２６ｄに出力する。例えば、補助断面像生成部２６ｃは、収集部２６ａによって収集されたボリュームデータから、補助断面像の位置を算出し、算出した補助断面像の位置に従い、ボリュームデータから補助断面像を生成する。
【００２３】
また、表示制御部２６ｄは、基本断面像の各候補及び補助断面像をマトリックス状に配置して表示部２５に表示する。例えば、表示制御部２６ｄは、基本断面像の各候補を水平方向又は垂直方向に並べて表示するとともに、補助断面像を、各候補とは異なる垂直方向又は水平方向に並べて表示する。なお、表示制御部２６ｄは、補助断面像上に、基本断面像の各候補との位置関係を示す情報を重畳表示する。
【００２４】
図２は、本実施形態における基本断面像の各候補を説明するための図である。なお、本実施形態においては、基本断面像として「四腔断面（4  chamber）像」を想定するが、実施形態はこれに限られるものではない。心臓の場合、基本断面像は、心臓の長軸像であればよく、垂直長軸像、水平長軸像、二腔断面（2  chamber）像、三腔断面（3  chamber）像等でもよい。
【００２５】
図２（ａ）は、四腔断面像１００の解剖学的な位置づけを示し、図２（ｂ）は、四腔断面像１００の例を示す。図２（ｂ）に示すように、四腔断面像１００は、４つの腔（左心室ＬＶ（left  ventricle）、左心房ＬＡ（left  atrium）、右心室ＲＶ（right  ventricle）、及び右心房ＲＡ（right  atrium））全てが見えており、また、心臓の特徴部位である僧帽弁ＭＶ（mitral  valve）及び心尖部ＣＡ（Cardiac  Apex）を通る断面像である。図２（ｂ）に示すＣは「左室中心」と呼ばれる部位であり、僧帽弁ＭＶと心尖部ＣＡとの中点に位置する。左室中心Ｃから心尖部ＣＡへと向かうベクトルを「長軸Ｙ」と呼び、四腔断面像１００上で長軸Ｙと直交するベクトルを「短軸Ｘ」と呼ぶ。本実施形態において、基本断面像生成部２６ｂは、心臓の長軸Ｙを含む断面像である基本断面像の第１候補と、この長軸Ｙを軸に第１候補を所定角度回転させた断面像である基本断面像の第２候補とを生成する。すなわち、基本断面像の各候補は、図２に示す四腔断面像１００を長軸Ｙを軸に所定角度回転させた場合の回転角の異なる断面像である。
【００２６】
次に、図３は、本実施形態における補助断面像を説明するための図である。なお、本実施形態においては、補助断面像として長軸Ｙと交差する「左室短軸像」を想定するが、実施形態はこれに限られるものではなく、基本断面像と交わる断面像であればよい。
【００２７】
図３（ａ）及び（ｃ）は、左室短軸像２００及び２０１の解剖学的な位置づけを示し、図３（ｂ）及び（ｄ）は、左室短軸像２００及び２０１の例を示す。図２及び図３から分かるように、左室短軸像は、長軸Ｙと直交する断面像である。本実施形態のように、僧帽弁ＭＶや心尖部ＣＡの位置で長軸Ｙに対して直交する断面像とすると効果的である。
【００２８】
図４は、本実施形態に係る処理手順を示すフローチャートである。なお、本実施形態において、基本断面像生成部２６ｂは、予め、入力部２４を介した操作者の入力として、基本断面像の候補の数や、心臓の長軸を軸に回転させる角度を受け付け、図示しない記憶部にパラメータとして記憶しているものとする。そして、基本断面像生成部２６ｂは、このパラメータに従って、基本断面像の各候補を生成する。また、補助断面像生成部２６ｃも同様に、予め、入力部２４を介した操作者の入力として、補助断面像の数や、補助断面像の位置を受け付け、図示しない記憶部にパラメータとして記憶しているものとする。そして、補助断面像生成部２６ｃは、このパラメータに従って、補助断面像を生成する。基本断面像生成部２６ｂや補助断面像生成部２６ｃは、かかるパラメータを変更する指示を操作者から受け付けた場合には、指示の内容に従い、生成する断面像を変更すればよい。また、かかるパラメータは、操作者の入力として受け付けるのではなく、ＭＲＩ装置１００に予め設定されていてもよい。
【００２９】
まず、収集部２６ａが、被検体Ｐの心臓を対象部位として撮像を行い、心臓のボリュームデータを収集する（ステップＳ１）。
【００３０】
次に、基本断面像生成部２６ｂが、ステップＳ１で収集されたボリュームデータから、基本断面像の第１候補の位置を算出し、算出した第１候補の位置に従い、ボリュームデータから、基本断面像の第１候補を生成する（ステップＳ２）。
【００３１】
ここで、基本断面像の各候補の位置の算出を説明する。具体的には、基本断面像生成部２６ｂは、基本断面像上に少なくとも長軸Ｙが含まれるように、ボリュームデータの３次元画像空間中に基本断面像の候補を設定する。各候補の位置とは、この３次元画像空間における基本断面像の候補の空間的な位置を意味し、ボリュームデータから基本断面像の候補が一意に決まるパラメータ（以下「位置パラメータ」）で表される。
【００３２】
例えば、位置パラメータは、式（１）で決まる、基本断面像の候補の中心座標点ｏと、式（２）で決まる、基本断面像の候補上にある直交する２本のベクトルｕ及びｖとで表現できる。
【数１】
2014000393.tif 000003
【数２】
2014000393.tif 000004
【００３３】
なお、この２本のベクトルｕ及びｖは、平行でなければ、基本断面像の各候補の位置を一意に決めることができる。本実施形態においては、説明の便宜上、直交する２本のベクトルとし、ｕを短軸Ｘ、ｖを長軸Ｙとして表現する。また、ｏを左室中心Ｃとして表現する。すなわち、基本断面像の各候補の位置の算出とは、この位置パラメータｏ、ｕ、ｖを求めることである。なお、この基本断面像の各候補の位置の算出は、公知の技術で実現することができる。例えば、基本断面像生成部２６ｂは、基本断面像のテンプレート画像を予め用意し、このテンプレート画像とのテンプレートマッチングによって、左室中心Ｃや、短軸Ｘ、長軸Ｙを特定し、これらを表現する位置パラメータを算出すればよい。また、例えば、基本断面像生成部２６ｂは、基本断面像を識別する識別器を用いて、左室中心Ｃや、短軸Ｘ、長軸Ｙを特定し、これらを表現する位置パラメータを算出すればよい。その他、位置パラメータは、手動で設定されてもよい。
【００３４】
なお、この位置パラメータは、この表現方法に限定されず、例えば、僧帽弁ＭＶ、心尖部ＣＡの位置、及び短軸ベクトルｕで表現してもよく、少なくとも、基本断面像の各候補の位置を一意に決めることができ、且つ長軸Ｙの情報が含まれている表現方法であればよい。
【００３５】
続いて、基本断面像生成部２６ｂは、ボリュームデータから、基本断面像の第２候補の位置を算出し、算出した第２候補の位置に従い、ボリュームデータから、基本断面像の第２候補を生成する（ステップＳ３）。
【００３６】
基本断面像の第２候補とは、短軸Ｘを所定角度ずらした場合の断面像を確認するために補助的に求める断面像であって、長軸Ｙを軸に、基本断面像の第１候補を所定角度回転させた断面像である。
【００３７】
本実施形態において、基本断面像の第２候補は、式（３）で決まる、中心座標点ｏ1と、式（４）で決まる、補助断面像上にある直交する２本のベクトルｕ1及びｖ1とで表現できる。なお、「θ」は、基本断面像の第１候補の位置から長軸Ｙを軸として回転した所定の回転角度であり、「×」は、外積計算である。
【数３】
2014000393.tif 000005
【数４】
2014000393.tif 000006
【００３８】
次に、補助断面像生成部２６ｃが、ボリュームデータから、基本断面像の各候補と交わる断面である補助断面像の位置を算出し、算出した補助断面像の位置に従い、ボリュームデータから、補助断面像を生成する（ステップＳ４）。
【００３９】
補助断面像とは、基本断面像の各候補の位置や長軸Ｙを確認しやすくするために補助的に求める断面像であって、長軸Ｙと交差する断面像であり、例えば、２以上生成される。
【００４０】
本実施形態において、補助断面像である左室短軸像は、式（５）で決まる、中心座標点ｏ2と、式（６）で決まる、補助断面上にある直交する２本のベクトルｕ2及びｖ2とで表現できる。なお、「ａ」は、任意の定数であり、「×」は、外積計算である。
【数５】
2014000393.tif 000007
【数６】
2014000393.tif 000008
【００４１】
本実施形態において、図３に示すように、補助断面像生成部２６ｃは、補助断面像が、僧帽弁ＭＶの位置と心尖部ＣＡの位置となるように「ａ」を２つ設定する。本実施形態のように、長軸Ｙと直交する断面像を補助断面像とすることは、より効果的に、基本断面像の各候補の位置や長軸Ｙの位置を確認できる。また、断面位置ｏ2が、僧帽弁ＭＶと心尖部ＣＡとなるように設定するとより効果的である。
【００４２】
続いて、表示制御部２６ｄが、基本断面像の各候補と補助断面像との相対的な位置関係を算出する（ステップＳ５）。例えば、表示制御部２６ｄは、基本断面像の第１候補と補助断面像との交差線情報、基本断面像の第２候補と補助断面像との交差線情報、及び、補助断面像と長軸との交差点情報を算出する。
【００４３】
図５は、本実施形態における表示例を示す図である。位置関係の算出例を図５を用いて説明する。表示制御部２６ｄが算出する交差線情報とは、本実施形態においては、図５に示す１００Ｌ及び１０１Ｌである。１００Ｌは、補助断面像２００及び２０１における基本断面像の第１候補１００との交差線であり、短軸Ｘの方向を示している。また、１０１Ｌは、補助断面像２００及び２０１における基本断面像の第２候補１０１との交差線であり、第１候補１００上の短軸Ｘを、長軸Ｙを軸に所定角度回転させた方向を示している。
【００４４】
なお、一般的に、基本断面像の各候補と補助断面像との交差線ベクトルｌは、基本断面像の各候補の法線ベクトルｎと補助断面像の法線ベクトルｎ´とを用いて式（７）で表現でき、このベクトルｌを補助断面像に射影することで、補助断面像２００及び２０１における、基本断面像の各候補との交差線情報を算出できる。なお「ｂ」は、任意の定数、「ｐ」は、基本断面像の各候補と補助断面像とが交差する線上の任意の点であり、基本断面像の各候補及び補助断面像の平面の方程式を解くことで計算できる。
【数７】
2014000393.tif 000009
【００４５】
また、一般的に、長軸Ｙと補助断面像との３次元画像空間中の交差点(ｘ、ｙ、ｚ)は、補助断面像２００又は２０１の平面の方程式を式（８）、直線ｌの方程式を式（９）とすると、式（１０）によって求めることができる。なお「ｔ」は、媒介変数である。式（１０）によって得られた３次元画像空間中の交差点を補助断面像２００又は２０１に射影することにより、画像中の交差点情報を算出できる。
【数８】
2014000393.tif 000010
【数９】
2014000393.tif 000011
【数１０】
2014000393.tif 000012
【００４６】
そして、表示制御部２６ｄは、基本断面像の各候補、及び、ステップＳ５において算出した位置関係を示す情報を重畳表示した補助断面像を並べて、表示部２５に表示する（ステップＳ６）。例えば、表示制御部２６ｄは、補助断面像上に、基本断面像の各候補と補助断面像との交差線情報や長軸Ｙとの交差点情報を合成して表示する。
【００４７】
例えば、表示制御部２６ｄは、図５に示すように、補助断面像２００及び２０１上に、基本断面像の第１候補１００との交差線１００Ｌ、第２候補１０１との交差線１０１Ｌ、長軸Ｙとの交差点ＭＶ（例えば、図５に示す□印のマーク）又は交差点ＣＡ（例えば、図５に示す△印のマーク）を合成して表示する。
【００４８】
次に、基本断面像生成部２６ｂは、操作者から、基本断面像の新たな候補（以下「新候補」）の生成指示を受け付けたか否かを判定し（ステップＳ７）、受け付けた場合には（ステップＳ７，Ｙｅｓ）、新候補の位置を算出し、算出した新候補の位置に従い、ボリュームデータから、基本断面像の新候補を生成する（ステップＳ８）。
【００４９】
その後、表示制御部２６ｄが、基本断面像の新候補と補助断面像との相対的な位置関係を更に算出し（ステップＳ５）、基本断面像の新候補を表示するとともに、補助断面像上に、新候補と補助断面像との位置関係を示す情報を重畳表示する（ステップＳ６）。このように、ステップＳ５からＳ８の処理が繰り返される。一方、基本断面像生成部２６ｂは、操作者から新候補の生成指示を受け付けずに、例えば基本断面像の選択指示を受け付けた場合には（ステップＳ７，Ｎｏ）、処理を終了し、操作者によって選択された候補を、基本断面像に設定する。
【００５０】
なお、実施形態は、上述した処理手順に限られるものではない。例えば、基本断面像の各候補や補助断面像の表示は、各断面像の生成のタイミングで行われてもよい。すなわち、例えば、表示制御部２６ｄは、基本断面像生成部２６ｂによって各候補が生成されるステップＳ２やステップＳ３のタイミングで、表示部２５に各候補を表示してもよい。また、例えば、表示制御部２６ｄは、補助断面像生成部２６ｃによって補助断面像が生成されるステップＳ４のタイミングで、表示部２５に補助断面像を表示してもよい。
【００５１】
ここで、上述した新候補の生成について、図５を用いて説明する。操作者は、表示部２５を見ると、補助断面像２００における基本断面像の第１候補１００との交差線１００Ｌ（つまり短軸Ｘの方向）、第２候補１０１との交差線１０１Ｌ（つまり短軸Ｘを、長軸Ｙを軸に所定角度回転させた方向）から、基本断面像の第１候補１００及び第２候補１０１が空間的にどの方向に設定されているかを直観的に理解することができる。
【００５２】
また、操作者は、表示部２５を見ると、補助断面像２００における長軸Ｙとの交差点ＭＶ、補助断面像２０１における長軸Ｙとの交差点ＣＡから、現在の長軸Ｙの位置が左心室ＬＶの中心を通っているかどうかも直観的に理解することができる。
【００５３】
補助断面像２００である基支部付近の左室短軸像上で基本断面像の第１候補１００である四腔断面像の短軸Ｘ方向は、右心室ＲＶの角と長軸を通るという医学的知見があるが、被検体による心臓の形状には個人差があるため、長軸Ｙを軸に短軸Ｘを回転させながら微修正して確認する必要がある。この点、本実施形態のように、短軸Ｘを微修正する後と前の画像を並べて比較でき、かつ、その時の短軸Ｘが空間的にどの方向になるかを補助断面像２００及び２０１から確認できる。
【００５４】
本実施形態において、例えば、操作者は、表示部２５で表示中の第２候補１０１を、入力部２４のマウスを介して選択し、第２候補１０１を第１候補に設定する指示を入力する。すると、基本断面像生成部２６ｂは、第２候補１０１を新第１候補に設定する指示であって、基本断面像の新候補を更に生成する生成指示を受け付けたと判定する。この場合の新候補は、例えば、基本断面像の候補１０１（旧第２候補）を更に所定角度回転させた断面像である。すなわち、基本断面像生成部２６ｂは、候補１０１（旧第２候補）の短軸を、長軸Ｙを軸に所定角度回転させ、新たな短軸Ｘとする。また、基本断面像生成部２６ｂは、候補１０１（旧第２候補）を、長軸Ｙを軸に更に所定角度回転させ、新第２候補とする。
【００５５】
図６は、本実施形態における新候補の表示例を示す図である。例えば、表示制御部２６ｄは、図６に示すように、基本断面の各候補として、新第１候補となった候補１０１と、新第２候補である候補１０２とを水平方向に並べて表示する。また、表示制御部２６ｄは、図６に示すように、各候補の下に、補助断面像２００及び２０１を垂直方向に並べて表示する。この場合、表示制御部２６ｄは、例えば、補助断面像２００及び２０１上に、新第２候補１０２と、補助断面像２００及び２０１との位置関係を示す交差線情報１０２Ｌを重畳表示する。
【００５６】
なお、実施形態はこれに限られるものではない。図７は、本実施形態における新候補の表示例を示す図である。例えば、表示制御部２６ｄは、各断面像を表示部２５に表示する際に、図７に示す新候補生成指示ボタンｂを併せて表示してもよい。図７の例において、新候補生成指示ボタンｂは、長軸Ｙを軸に回転して新候補を生成する際の回転方向を示す。例えば、操作者が、右方向の新候補生成指示ボタンｂを押下したとする。すると、基本断面像生成部２６ｂは、第１候補１００や第２候補１０１とは別に、基本断面像の新候補である第３候補１０２を更に生成する生成指示を受け付けたと判定する。この場合の第３候補１０２は、例えば、第２候補１０１を更に所定角度回転させた断面像である。すなわち、基本断面像生成部２６ｂは、第２候補１０１を、長軸Ｙを軸に更に所定角度回転させた基本断面像を、第３候補１０２とする。
【００５７】
そして、例えば、表示制御部２６ｄは、図７の下段に示すように、基本断面の各候補として、第１候補１００及び第２候補１０１とともに第３候補１０２を表示するとともに、補助断面像２００及び２０１上に、第３候補１０２と、補助断面像２００及び２０１との位置関係を示す交差線情報１０２Ｌを更に重畳表示する。
【００５８】
なお、新候補の生成指示はこれに限られるものではなく、例えば、操作者は、第１候補１０１と第２候補１０２との間を入力部２４のマウスでクリックすることで、第１候補１０１と第２候補１０２との中間の角度で長軸Ｙを軸に回転した新候補の生成を指示してもよい。
【００５９】
また、例えば、操作者は、補助断面像上に重畳表示された交差線情報や交差点情報に対する変更指示を入力することで、新候補の生成指示としてもよい。この場合、基本断面像生成部２６ｂは、交差線情報や交差点情報に対する変更指示を受け付けると、受け付けた変更指示に従い、基本断面像の新候補を生成する。例えば、操作者は、入力部２４のマウスを介して、表示部２５で表示中の補助断面像上の長軸Ｙとの交差点ＭＶ若しくはＣＡを移動させる。すると、基本断面像生成部２６ｂは、補助断面像上の変更された長軸Ｙの交差点に基づいて長軸Ｙを変更する。例えば、基本断面像生成部２６ｂは、変更された長軸Ｙの交差点と、変更されなかったもう一方の長軸Ｙとの交差点とを結ぶ線分を新たな長軸Ｙへと設定する。又は、基本断面像生成部２６ｂは、変更された長軸Ｙの交差点の移動量分だけ長軸Ｙを平行移動させる。この変更に伴い、基本断面像生成部２６ｂは、基本断面像の新候補を生成する。また、例えば、操作者は、入力部２４のマウスを介して、補助断面像上の交差線情報の向きを変更する。すると、基本断面像生成部２６ｂは、変更後の角度を短軸Ｘの方向とする基本断面像の新候補を生成する。
【００６０】
また、例えば、操作者は、入力部２４のキーボードを介して、基本断面像の候補の数や、表示部２５に表示中の各候補の位置との所定の角度差を入力することで、新候補の生成指示としてもよい。第２候補１０１を、入力された角度分、長軸Ｙを軸に更に回転させた基本断面像を、第３候補１０２とする。
【００６１】
以上のことから、操作者は、入力部２４で変更した基本断面像の新候補を新たに見ることができ、その後、操作者によって選択された候補が基本断面像に設定されることで、操作者は、この基本断面像を診断に用いることができる。
【００６２】
上述してきたように、本実施形態によれば、ＭＲＩ装置１００は、長軸を軸に基本断面像を所定角度回転させた少なくとも１以上の候補を水平（又は垂直）方向に配置し、長軸と交差し、例えば２以上の第２補助断面を垂直（又は水平）方向に配置する。また、ＭＲＩ装置１００は、各補助断面像上に、長軸との交差点、及び基本断面像の各候補との交差線を表示する。このことにより、基本断面像の位置の確認と、長軸の向きの確認と、短軸を所定角度長軸を軸に回転させた場合の断面像の確認とを、効率良く行うことができる。こうして、本実施形態によれば、基本断面像の複数の『候補』や、各『候補』と補助断面像との位置関係が一覧表示されることで、操作者は、複数の候補間で、断面像そのものや、短軸・長軸の位置関係を容易に比較でき、基本断面像を適切に確認できる。
【００６３】
（他の実施形態）
実施形態は、上述した本実施形態に限られるものではない。
【００６４】
図８〜図１１は、他の実施形態における表示例を示す図である。上述の実施形態においては、図５に例示したように、基本断面像の各候補に共通の補助断面像を表示し、１つの補助断面像上に、複数の候補との交差線情報を表示する例を説明したが、実施形態はこれに限られるものではなく、例えば、候補に対応する数だけ補助断面像をそれぞれ表示してもよい。例えば、表示制御部２６ｄは、図８に示すように、基本断面像の各候補を水平方向に並べて表示するとともに、各候補に対応する補助断面像それぞれを垂直方向に並べて表示してもよい。
【００６５】
また、上述の実施形態においては、図５に例示したように、基本断面像の候補として２つの候補を表示する例を説明したが、実施形態はこれに限られるものではなく、３つ以上の候補を表示してもよい。また、上述の実施形態においては、図５に例示したように、２箇所の補助断面像を表示することとしたが、実施形態はこれに限られるものではなく、例えば、３箇所以上の補助断面像を表示してもよい。例えば、表示制御部２６ｄは、図９に示すように、基本断面像の候補として、例えば５つの候補を表示し、また、３箇所の補助断面像を表示してもよい。
【００６６】
また、表示制御部２６ｄは、基本断面像の各候補の確からしさの度合いに応じて、各候補の表示態様を変更してもよい。例えば、表示制御部２６ｄは、図１０に示すように、基本断面像生成部２６ｂにより算出される基本断面像の位置の確からしさの度合いに基づいて、画像の大きさを変えるとより効果的である。ここで、基本断面像の位置の確からしさの度合いとは、例えば、テンプレートマッチングによるマッチング誤差でもよいし、学習した識別器が出力する尤度でもよく、例えば、基本断面像生成部２６ｂが、確からしさの度合いを数値化した情報として算出すればよい。また、表示制御部２６ｄは、確からしさの度合いに応じて画像の大きさを変更する替わりに、若しくは画像の大きさを変更するとともに、例えば、画像枠の線種や、背景の色を変更してもよい。あるいは、表示制御部２６ｄは、画像内に確からしさの度合いを数値化して表示してもよい。また、表示制御部２６ｄは、基本断面像の大きさ等を変更する替わりに、若しくは基本断面像の大きさ等を変更するとともに、補助断面像の大きさ等を変更してもよい。操作者は、一見して、基本断面像の各候補間の優劣（確からしさの度合いの違い）を把握することができる。
【００６７】
なお、基本断面像生成部２６ｂは、基本断面像の各候補を生成する際に、基本断面像の各候補の確からしさの度合いに応じて、基本断面像の候補の数や、長軸を軸に回転させる角度を調整してもよい。例えば、基本断面像生成部２６ｂは、基本断面像の第１候補を生成した際に、この第１候補の確からしさの度合いが所定閾値を上回る場合には、例えば、基本断面像の候補の数を減らしたり、例えば、長軸を軸に回転させる角度を小さく設定する。これは、第１候補の確からしさの度合いが高いため、その他の候補も、それほど数が必要ではなく、また、正しい基本断面像は、第１候補から大きく離れないと想定されるからである。一方、例えば、基本断面像生成部２６ｂは、基本断面像の第１候補の確からしさの度合いが所定閾値を下回る場合には、例えば、基本断面像の候補の数を増やしたり、例えば、長軸を軸に回転させる角度を大きく設定する。これは、第１候補の確からしさの度合いが低いため、その他の候補は、ある程度数が必要であり、また、正しい基本断面像は、第１候補からある程度離れると想定されるからである。なお、この調整はこれに限られるものではなく、運用の形態に応じて任意に変更することができる。
【００６８】
また、上述の実施形態においては、図５に例示したように、２箇所の補助断面像を表示することとしたが、実施形態はこれに限られるものではなく、例えば、図１１に示すように、１箇所の補助断面像を表示するだけでもよい。
【００６９】
また、上述の実施形態においては、医用画像診断装置としてＭＲＩ装置を想定したが、実施形態はこれに限られるものではない。例えば、医用画像診断装置は、Ｘ線診断装置、Ｘ線ＣＴ装置、超音波診断装置などでもよい。また、例えば、医用画像診断装置に替わり、画像表示装置や、医用画像診断装置と画像表示装置とを含む画像処理システムが、上述した各種処理を実行してもよい。ここで、画像表示装置とは、例えば、ワークステーション、ＰＡＣＳ（Picture  Archiving  and  Communication  System）の画像保管装置（画像サーバ）やビューワ、電子カルテシステムの各種装置などである。例えば、画像表示装置は、各種医用画像診断装置にて収集されたボリュームデータであって、処理の対象となるボリュームデータの入力を、医用画像診断装置から受け付けてもよい。また、例えば、画像表示装置は、ＰＡＣＳの画像サーバ等に保存されたボリュームデータの入力を受け付けて、処理の対象としてもよい。
【００７０】
例えば、画像表示装置は、表示部と、表示制御部とを備える。表示制御部は、心臓の長軸を含む基本断面像の各候補を、水平方向又は垂直方向に並べて表示部に表示するとともに、基本断面像の各候補と交わる断面像であって各候補との位置関係を重畳表示する補助断面像を、各候補とは異なる垂直方向又は水平方向に並べて表示部に表示する。
【００７１】
図１２は、他の実施形態に係る画像表示装置を示すブロック図である。例えば、画像表示装置２００は、図１２に示すように、基本断面像生成部２００ａと、補助断面像生成部２００ｂと、表示制御部２００ｃと、表示部２００ｄとを備える。基本断面像生成部２００ａ、補助断面像生成部２００ｂ、表示制御部２００ｃ、及び表示部２００ｄは、それぞれ、上述した実施形態における、基本断面像生成部２６ｂ、補助断面像生成部２６ｃ、表示制御部２６ｄ、及び表示部２５に対応する機能を有する。
【００７２】
（位置決め画像として表示される基本断面像）
上述した実施形態においては、ボリュームデータから生成された基本断面像が、後段の本撮像（イメージングスキャン）で収集される画像の位置決め画像として生成されたものであるか、あるいは解析や診断に用いられる画像として生成されたものであるかについて、限定するものではない。この点、以下では、基本断面像が位置決め画像として生成された場合を想定して具体的に説明する。
【００７３】
図１３は、他の実施形態における処理手順を示すフローチャートである。まず、収集部２６ａが、被検体Ｐの心臓を対象部位として撮像を行い、心臓のボリュームデータを収集する（ステップＳ１０１）。例えば、収集部２６ａは、所定の撮像範囲に従い、マルチスライス像のデータを収集する。所定の撮像範囲のうち、スライス方向の撮像範囲は、例えば、心臓の上端から頭方向にオフセットを取った位置と、心臓の下端から足方向にオフセットを取った位置とで定まる範囲である。また、例えば、収集部２６ａは、２Ｄ  ＦＦＥ（Fast  Field  Echo）や２Ｄ  ＳＳＦＰ（Steady−State  Free  Precession）、２Ｄ  ＦＡＳＥ（Fast  Asymmetric  Spin  Echo）を用いて、マルチスライス像のデータを収集する。この収集は、心臓の断面像を特定できる程度の高分解能で行われる。
【００７４】
その後、画像再構成部２２が、収集されたデータから被検体Ｐの体軸方向に沿った複数のアキシャル断面像を再構成することで、ボリュームデータを生成する。例えば、ボリュームデータは、画像再構成部２２によって再構成された２０枚のアキシャル断面像群である。なお、画像再構成部２２は、再構成後のボリュームデータに対して、等方化処理（ｘ、ｙ、ｚの３方向がそれぞれ等距離間隔となるように行う補間処理）を施した上で、後段の処理にボリュームデータとして提供してもよい。あるいは、画像再構成部２２は、等方化処理を施さないボリュームデータを後段の処理に提供してもよい。
【００７５】
続いて、基本断面像生成部２６ｂが、ステップＳ１０１で収集されたボリュームデータから、６種類の基本断面像の位置を算出し、算出した位置に従い、ボリュームデータから、６種類の基本断面像を生成する（ステップＳ１０２）。ここで生成された６種類の基本断面像は、後段のイメージングスキャンで収集される画像の位置決め画像として生成されたものである。また、操作者による位置決め終了前の画像という意味で、第１候補の基本断面像である。また、後述するように、各基本断面像は、他の基本断面像の補助断面像となり得る。
【００７６】
そして、基本断面像生成部２６ｂは、ステップＳ１０２で生成した６種類の基本断面像を表示部２５に表示する（ステップＳ１０３）。図１４は、他の実施形態における位置決め画像の表示例を示す図である。例えば、基本断面像生成部２６ｂは、図１４に示すように、位置決め画像として、垂直長軸像（ＶＬＡ（Vertical  Long  Axis））、水平長軸像（ＨＬＡ（Horizontal  Long  Axis））、左室短軸像（ＳＡ（Short  Axis））、四腔断面像（４ｃｈ）、二腔断面像（２ｃｈ）、三腔断面像（３ｃｈ）を並べて表示する。なお、基本断面像生成部２６ｂは、図１４に示すように、各断面像上に、他の断面像との交差線情報を重畳表示してもよい。なお、図１４においては説明の便宜上表現を省略したが、６種類の各断面像は、例えば色分けされた枠に囲まれて表示され、その枠の色と交差線情報の色とを一致させることで、各断面像上に示される交差線が、どの断面像との交差線であるかを表現してもよい。
【００７７】
続いて、基本断面像生成部２６ｂは、これら位置決め画像としての６種類の基本断面像上で、操作者から、基本断面像の選択を受け付けるか、若しくは、位置決め終了の指示を受け付けるかを判定する（ステップＳ１０４）。
【００７８】
基本断面像の選択を受け付けた場合、基本断面像生成部２６ｂは、ステップＳ１０５〜Ｓ１０７の処理を経た後、上述した実施形態と同様、選択された基本断面像の各候補及び補助断面像をマトリックス状に配置して（例えば、図５を参照）、表示部２５に表示する（ステップＳ１０８）。なお、このマトリックス状の表示は、ステップＳ１０３で表示された６種類の基本断面像のウィンドウとは異なるウィンドウで表示されてもよい。あるいは、例えば１画面内におさまる場合には、マトリックス状の表示は、ステップＳ１０３で表示された６種類の基本断面像と並べて表示されてもよい。
【００７９】
例えば、基本断面像生成部２６ｂは、基本断面像の選択を受け付けると、上述した実施形態と同様、選択された基本断面像の第２候補の位置を算出し、算出した第２候補の位置に従い、ボリュームデータから、基本断面像の第２候補を生成する（ステップＳ１０５）。
【００８０】
また、補助断面像生成部２６ｃは、ステップＳ１０４で選択された基本断面像に対応する補助断面像を、例えばステップＳ１０２で生成した６種類の基本断面像の中から特定する（ステップＳ１０６）。例えば、ステップＳ１０４で操作者により選択された基本断面像が四腔断面像の場合、補助断面像生成部２６ｃは、対応する補助断面像として、基本断面像のうちの１つである左室短軸像を特定する。
【００８１】
ここで、補助断面像を特定する手法として、例えば、以下の３つの手法が考えられる。手法１は、基本断面像と補助断面像との組合せを予め設定しておく手法である。例えば、補助断面像生成部２６ｃは、操作者による事前入力によって、四腔断面像と左室短軸像との組合せや、その他の組合せを予め記憶しておく。そして、補助断面像生成部２６ｃは、ステップＳ１０４で操作者により選択された基本断面像が四腔断面像の場合、予め記憶した組合せを参照し、補助断面像として、左室短軸像を特定する。なお、例えば、補助断面像生成部２６ｃは、四腔断面像や左室短軸像をより抽象化した組合せとして、「長軸像」と「短軸像」とを組合せとして予め記憶してもよい。例えば、補助断面像生成部２６ｃは、ステップＳ１０４で操作者により選択された基本断面像が「長軸像」である四腔断面像の場合、６種類の基本断面像の中から「短軸像」を探索し、補助断面像として、短軸像である左室短軸像を特定する。
【００８２】
また、手法２は、基本断面像相互の相対的な位置関係から適応的に決定する手法である。例えば、補助断面像生成部２６ｃは、ステップＳ１０４で操作者により選択された基本断面像について、他の基本断面像との相対的な位置関係を求め、断面像同士のなす角度が直角に近いか否かを判定基準として補助断面像を特定する。また、手法３は、補助断面像の指定を受け付ける手法である。例えば、補助断面像生成部２６ｃは、基本断面像と同様、補助断面像についても、操作者から指定を受け付ける。なお、補助断面像を特定する手法は、上述した手法に限られるものではない。
【００８３】
さて、補助断面像生成部２６ｃは、必要に応じて、基本断面像の中から特定した補助断面像の他に、例えばもう１つの補助断面像を更に生成する。例えば、補助断面像生成部２６ｃは、基本断面像として生成済みの左室短軸像が僧帽弁ＭＶの位置の断面像である場合、もう１つの補助断面像として心尖部ＣＡの位置の左室短軸像を生成してもよい。
【００８４】
続いて、上述した実施形態と同様、表示制御部２６ｄが、基本断面像の各候補と補助断面像との相対的な位置関係を算出し（ステップ１０７）、ステップＳ１０８の表示に至る。なお、図１３においては省略したが、この場合にも、例えば、基本断面像生成部２６ｂは、操作者から、基本断面像の新候補の生成指示を受け付けると、ボリュームデータから基本断面像の新候補を生成し、再びステップＳ１０７及びＳ１０８の処理を繰り返してもよい。また、図１４に示した基本断面像上には、他の断面像との交差線情報が重畳表示されていたが、例えば、このステップＳ１０８の表示においては、操作者による確認の目的に必要でない情報として、これらの交差線情報を非表示としてもよい。
【００８５】
その後、基本断面像生成部２６ｂは、複数の基本断面像の候補の中から１つの基本断面像の選択を受け付けると（ステップＳ１０９，Ｙｅｓ）、基本断面像の確認処理を終了し、再び、６種類の基本断面像を表示部２５に表示する処理に戻る（ステップＳ１０３）。このとき、６種類の基本断面像のうち、ステップＳ１０４で選択済みの基本断面像については、ステップＳ１０９で操作者から選択された基本断面像が表示される。なお、明示的に１つの基本断面像の選択を受け付ける場合に限られず、例えば、確認終了ボタンの押下を受け付けることで、ステップＳ１０３で表示された第１候補の基本断面像を承認したことと等価であるとして、基本断面像の選択に替えてもよい。
【００８６】
一方、ステップＳ１０４で、基本断面像生成部２６ｂが、操作者から、位置決め終了の指示を受け付けると、次に、収集部２６ａが、上述した処理により確定した各基本断面像の位置に従って、イメージングスキャンを実行する（ステップＳ１１０）。
【００８７】
なお、上述した例も一例に過ぎない。上述では、ボリュームデータから位置決め画像として６種類の基本断面像を生成し（ステップＳ１０２を参照）、また、前段の処理で確定した各基本断面像の位置に従ってイメージングスキャンを実行する（ステップＳ１１０を参照）例を説明した。しかしながら、実施形態はこれに限られるものではない。まず、ボリュームデータから位置決め画像として生成する断面像の数、種類、また、これを一覧表示するか個別表示するか等は、任意に変更することができる。例えば、基本断面像生成部２６ｂは、２種類以上の断面像を生成すればよい。また、イメージングスキャンで収集する断面像についても、その数、種類等を、任意に変更することができる。例えば、収集部２６ａは、１種類以上の断面像を収集すればよい。
【００８８】
また、位置決め画像として生成する断面像の数、種類は、イメージングスキャンで収集する断面像の数、種類に必ずしも依存するものではない。例えば、当初の計画では予定していなかった断面像を後の計画変更で収集する場合もある。新たな断面像を収集するたび基本断面像の位置決めからやり直すとすると、その分操作者に手間が生じることにもなる。この点、例えば、イメージングスキャンで予定されている断面像よりも多くの種類の断面像についてその位置決めが事前に終了していれば、このような計画変更にも柔軟に対応することが可能になる。
【００８９】
また、ここでは、上述した実施形態のうちの一例（例えば、図５及び図６の表示）を適用した場合を想定して説明したが、実施形態はこれに限られるものではなく、上述した実施形態のうちのいずれの形態にも同様に適用することができる。また、上述した例においては、基本断面像として四腔断面像が選択され、対応する補助断面像が左室短軸像である例を説明したが、実施形態はこれに限られるものではなく、交差する関係にある断面像の組み合わせが適宜選択されればよい。即ち、例えば、６種類の基本断面像のうち、確認を要する基本断面像として選択された基本断面像以外の５種類の基本断面像が、補助断面像となり得る。もっとも、確認を要する基本断面像として長軸像が選択され、これに対応する補助断面像として短軸像が特定される、という組み合わせが望ましい。また、上述した例のように、基本断面像生成部２６ｂによって生成された基本断面像のうちの１つが、補助断面像となり得る場合、基本断面像生成部２６ｂと補助断面像生成部２６ｃとは、１つの処理部として構成されてもよい。
【００９０】
（イメージングスキャン後の処理で表示される基本断面像）
さて、これまで、ボリュームデータから生成された基本断面像がイメージングスキャンで収集される画像の位置決め画像として生成され、表示される場合を想定して説明したが、実施形態はこれに限られるものではない。例えば、上述した基本断面像生成部２６ｂ、補助断面像生成部２６ｃ、及び表示制御部２６ｄによる処理は、イメージングスキャンで収集されたボリュームデータに対する後処理として行われてもよい。例えば、解析や診用に用いられる画像として、適切な画像を見つけるための処理として行われてもよい。上述したように、医用画像診断装置は、ＭＲＩ装置に限られず、Ｘ線診断装置やＸ線ＣＴ装置、超音波診断装置等でもよい。この点、上述した処理は、例えば、これらの医用画像診断装置により高分解能で収集されたボリュームデータから、診断に用いられるＭＰＲ（Multi-Planar  Reconstruction）画像を生成するための確認や調整の目的で行われてもよい。
【００９１】
（処理の順番）
また、上述した実施形態において例示した処理手順（図４及び図１３に示すフローチャート等）は、任意に変更することができる。例えば、上述した実施形態においては、断面像の位置の算出と生成とを連続して行う例を説明したが、実施形態はこれに限られるものではない。各断面像の生成自体は、表示制御部２６ｄによって表示部２５に表示されるまでのタイミングで行われればよい。もっとも、先に生成された断面像を後段の処理に活用することもできる。例えば、基本断面像生成部２６ｂは、第１候補の基本断面像を生成した段階で、この第１候補の基本断面像の確からしさを判定し、この判定結果に基づいて、基本断面像の候補の数や、長軸を軸に回転させる角度を調整することができる。
【００９２】
また、例えば、基本断面像の第１候補の位置が算出された後、基本断面像の第２候補の位置を算出するのか、あるいは、補助断面像の位置を算出するのかについても、適宜順番を変更することができる。このように、上述した実施形態において例示した処理手順は、候補となる複数の断面像間で関連して算出される位置のように依存関係にあるものを除いては、任意に変更することができる。
【００９３】
（その他の部位）
上述した実施形態においては、対象部位として「心臓」を例に挙げて説明したが、実施形態はこれに限られるものではなく、他の対象部位を撮像する場合にも、同様に適用することができる。例えば、「肩」や「膝」といった関節の撮像にも、同様に適用することができ、表示制御部２６ｄは、基本断面像の各候補、及び、これらの基本断面像との位置関係を示す情報を重畳表示した補助断面像を並べて、表示部２５に表示する。
【００９４】
肩関節の撮像においては、例えば、アキシャル断面像上で、肩甲骨に平行な斜位コロナル断面像や、肩甲骨に直交する斜位サジタル断面像のイメージングスキャン用の位置決めが行われる場合がある。この場合、例えば、基本断面像生成部２６ｂは、位置決め用に、比較的低分解能で収集したボリュームデータから、基本断面像として斜位コロナル断面像や斜位サジタル断面像の第１候補を生成し、表示する。また、例えば、基本断面像生成部２６ｂは、操作者から基本断面像の選択を受け付けると、選択された基本断面像の第２候補を生成する。一方、補助断面像生成部２６ｃは、ボリュームデータから、選択された基本断面像に対応する補助断面像として、アキシャル断面像を生成する。そして、表示制御部２６ｄは、基本断面像（例えば、斜位コロナル断面像）の第１候補及び第２候補、並びに、これらの基本断面像との位置関係を示す情報を重畳表示した補助断面像（例えば、アキシャル断面像）を並べて、表示部２５に表示する。
【００９５】
（断面像、方向）
また、上述した実施形態においては、ボリュームデータから生成される各種断面像を、その用途に応じて、適宜「基本断面像」若しくは「補助断面像」と称し、表示制御部が、「基本断面像」の各候補、及び、「補助断面像」を表示するものとして説明した。しかしながら、実施形態はこれに限られるものではなく、これらの断面像は、必ずしも、「基本断面像」や「補助断面像」といった種別を持たなくてもよい。即ち、医用画像診断装置や画像表示装置は、単に、断面像（第１断面像、第１断面像と交わる第２断面像）をボリュームデータから生成したり、表示したりするものであればよい。また、上述した実施形態においては、基本断面像の各候補を水平（又は垂直）方向に配置し、補助断面像を垂直（又は水平）方向に配置する例を説明した。ここでいう「水平方向」や「垂直方向」とは、例えば、矩形状の表示部の２辺それぞれに略平行な方向である。しかしながら、実施形態はこれに限られるものではなく、基本断面像の各候補や補助断面像は、第１の方向、及びこれと交わる第２の方向に配置されればよい。また、典型的には、第２方向は、第１の方向に対して垂直をなす方向である。
【００９６】
以上述べた少なくとも一つの実施形態の医用画像診断装置及び画像表示装置によれば、断面像の確認を適切に行うことができる。
【００９７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
１００  ＭＲＩ装置
２６  制御部
２６ａ  収集部
２６ｂ  基本断面像生成部
２６ｃ  補助断面像生成部
２６ｄ  表示制御部
【図１】
2014000393.tif 000013
【図２】
2014000393.tif 000014
【図３】
2014000393.tif 000015
【図４】
2014000393.tif 000016
【図５】
2014000393.tif 000017
【図６】
2014000393.tif 000018
【図７】
2014000393.tif 000019
【図８】
2014000393.tif 000020
【図９】
2014000393.tif 000021
【図１０】
2014000393.tif 000022
【図１１】
2014000393.tif 000023
【図１２】
2014000393.tif 000024
【図１３】
2014000393.tif 000025
【図１４】
2014000393.tif 000026